(57)【要約】上部区画及び下部区画の２区画を有し、各区画が飲料原料を含む容器を用いて、２成分飲料を調製する方法を提供する。前記上部区画は、粉状ミルク等の第一飲料成分を含み、且つ、前記下部区画８は、インスタントコーヒー等の第二飲料成分を含む。前記下部区画へのアクセスが、前記上部区画を通るように、前記上部区画が、前記下部区画上に積み重ねられ得る。【選択図】図２
2014532474.tif 000002
【特許請求の範囲】
【請求項１】
２区画容器を用いてカップ内で２成分飲料を調製する方法であって：
第一飲料原料を含む前記２区画容器の上部区画に、アクセスする工程；
前記第一飲料原料を用いて、前記２区画容器の下部区画へのアクセスを阻止する工程；
前記第一飲料原料を前記２区画容器から前記カップへ注いで、第二飲料原料を含む前記２区画容器の前記下部区画へのアクセスを提供する工程；
前記カップ内で液体と前記第一飲料原料とを組み合わせて、第一飲料成分を調製する工程；
前記２区画容器内で液体と前記第二飲料原料とを組み合わせて、第二飲料成分を調製する工程；および、
前記カップへ前記第二飲料成分を注いで、前記第一飲料成分と組み合わせて、前記２成分飲料を調製する工程；
を含む、方法。
【請求項２】
第一飲料原料を含む前記２区画容器の上部区画にアクセスする工程が、前記容器から上部区画蓋を除去する工程を更に含む、請求項１に記載の方法。
【請求項３】
第二飲料原料を含む前記２区画容器の前記下部区画へのアクセスを提供する工程において、前記容器から下部区画蓋をトップ除去する工程を更に含む、請求項２に記載の方法。
【請求項４】
前記２区画容器内で液体と前記第二飲料原料とを組み合わせて、第二飲料成分を調製する工程が、前記容器を用いて前記液体を測定することを含む、請求項３に記載の方法。
【請求項５】
前記２区画容器内で液体と前記第二飲料原料とを組み合わせて第二飲料成分を調製する工程が、下部区画、及び下部区画上の容器の少なくとも一部を、前記液体で満たすことを含む、請求項１に記載の方法。
【請求項６】
前記カップ内で前記第一飲料原料と組み合わされて前記第一飲料成分を調製する前記液体が、ホットウォーターであり、前記容器内で前記第二飲料成分と組み合わされる液体が、ホットウォーターである、請求項１に記載の方法。
【請求項７】
前記カップ内で前記液体と前記第一飲料原料とを組み合わせて前記第一飲料成分を調製する工程の前に、前記容器を用いて前記液体を測定する工程を更に含む、請求項１に記載の方法。
【請求項８】
前記第二飲料成分を前記カップに注いで、前記第一飲料成分と組み合わせて、前記２成分飲料を調製する工程の前に、前記容器の操作手段を用いて容器を保持する工程を更に含む、請求項１に記載の方法。
【請求項９】
請求項１に記載の方法に用いられる容器であって：
前記容器が、底壁及び直立する側壁を備え、該側壁が段部によって分けられる下部セグメント及び上部セグメントを有し、該下部セグメントが上部セグメントの外周より小さい外周であり；
前記容器が、前記直立する側壁に付着される上部蓋を備え；
前記容器が、前記段部に隣接する下部蓋を備え；
前記容器が、前記底壁によって結合された下部区画、前記側壁の前記下部セグメント、及び前記下部蓋を備え、前記下部区画が前記第二飲料原料を含み；
前記容器の前記下部蓋によって結合された上部区画、前記側壁の前記上部セグメント、及び前記上部蓋を備え、前記上部区画が前記第一飲料原料を含む；容器。
【請求項１０】
前記側壁の前記上部セグメントが、周縁フランジ部を有し、且つ、前記上部蓋が、前記周縁フランジ部に付着される、請求項９に記載の容器。
【請求項１１】
前記上部蓋が、折り畳まれて、前記上部蓋の残部に重ねられたタブを有し、該タブが、グリッピングの為に、折り畳まれていない位置に向かって可動であり、前記上部蓋の除去を容易にする、請求項９に記載の容器。
【請求項１２】
前記下部蓋が、前記側壁の前記上部セグメントの前記内面壁に隣接した位置にタブを有し、該タブが、グリッピングのために前記側壁から離れるように可動であり、前記下部蓋の除去を容易にする、請求項９に記載の容器。
【請求項１３】
前記容器の操作手段が提供される、請求項９に記載の容器。
【請求項１４】
前記側壁の前記下部セグメントが、凹部によって分けられた外向きに延びる複数のリブを備える、請求項９に記載の容器。
【請求項１５】
前記リブが、前記側壁の前記下部セグメントの外周周囲に、部分的にのみ延びる、請求項１４に記載の容器。
【請求項１６】
外部部分が、容器に付着されて前記底壁及び前記側壁の前記下部セグメントを囲み、該外部部分が前記側壁の前記下部セグメントから間隔が空けられた外部部分側壁を有する、請求項９に記載の容器。
【請求項１７】
前記フランジ部が、前記容器の前記側壁から間隔が空けられて下方向に曲がったセグメントを備える、請求項１０に記載の容器。
【請求項１８】
前記容器が、側壁から外向きに延びるハンドルを備える、請求項９に記載の容器。
【請求項１９】
前記容器の側壁が、ロゴ、又は、凹部によって間隔が空けられた隣接リブを伴って、複数のリブにより規定された、他の表示を備える、請求項９に記載の容器。
【請求項２０】
前記第一及び第二飲料原料が異なる、請求項９に記載の容器。
【発明の詳細な説明】
【技術分野】
【０００１】
［関連出願の相互参照］
本出願は、２０１２年４月２７日に出願の米国特許出願第１３／４５８，９５３号の継続出願であり、その内容全体が参照により本明細書に組込まれている。
【０００２】
２成分飲料の製造方法を提供し、特に、２区画容器に貯蔵される原料を用いた、２成分飲料の製造方法を提供する。
【背景技術】
【０００３】
あるコーヒー飲料は、２つの異なる飲料原料が、特定の順番で組み合わされて調製される。例えば、ラッテ飲料は、予めミルクを含むカップへコーヒーを加えることにより調製され得る。ミルクをコーヒーに加えると、異なる飲料が得られる。
【０００４】
２成分飲料を調製するための１つのシステムとしては、粉状の飲料原料の２つのパケットを含む。パケットの１つは、粉状ミルク、そして、他方にはインスタントコーヒーを挙げることができる。パケットは、それぞれ分けて熱い液体と組み合わせて、異なる飲料成分を調製し得る。そして、その成分が組み合わされて、２成分飲料が調製され得る。
【発明の概要】
【発明が解決しようとする課題】
【０００５】
しかしながら、上述のように、組み合わせの順番が、指示内容と異なると、異なる飲料となり得る。特定の２成分飲料を調製するための好ましい組み合わせの順番について指示が与えられ得るが、不注意により指示が従われないと、消費者が期待する飲料とは異なった２成分飲料となる可能性がある。
【課題を解決するための手段】
【０００６】
２区画容器を用いてカップ内で２成分飲料を調製する方法が提供される。該方法は、第一飲料原料を含む前記２区画容器の上部区画にアクセスすること、前記第一飲料原料を用いて、前記２区画容器の下部区画へのアクセスを阻止すること、前記第一飲料成分を前記２区画容器から前記カップへ注いで、第二飲料原料を含む前記２区画容器の前記下部区画へのアクセスを提供すること、前記カップ内で液体と前記第一飲料原料とを組み合わせて、第一飲料成分を調製すること、前記２区画容器内で液体と前記第二飲料原料とを組み合わせて、第二飲料成分を調製すること、そして、前記カップへ前記第二飲料成分を注いで、前記第一飲料成分と組み合わせて、前記２成分飲料を調製することを含む。前記第一飲料原料及び前記第二飲料原料は、異なり得る。
【０００７】
第一飲料原料を含む前記２区画容器の上部区画にアクセスする工程は、前記容器から上部区画蓋を除去するトップ除去工程を更に含み得る。第二飲料原料を含む前記２区画容器の前記下部区画へのアクセスを提供する工程において、前記容器から下部容器蓋を除去するトップ除去工程を更に含み得る。前記２区画容器内で液体と前記第二飲料原料とを組み合わせて、第二飲料成分を調製する工程が、前記容器を用いて前記液体を測定することを含み得る。前記２区画容器内で液体と前記第二飲料原料とを組み合わせて第二飲料成分を調製する工程が、下部成分及び少なくとも上部区画の一部を前記液体で満たす工程が挙げられる。
【０００８】
前記カップ内で前記第一飲料原料と組み合わされて前記第一飲料成分を調製する前記液体が、ホットウォーターであり、前記容器内で前記第二飲料成分と組み合わされる液体が、ホットウォーターであり得る。
【０００９】
上記方法は、前記カップ内で前記液体と前記第一飲料原料とを組み合わせて前記第一飲料成分を調製する工程の前に、前記容器を用いて前記液体を測定する工程を更に含み得る。
【００１０】
上記方法は、前記第二飲料成分を前記カップに注いで、前記第一飲料成分と組み合わせて、前記２成分飲料を調製する工程の前に、前記容器の操作手段を用いて容器を保持する工程を更に含み得る。
【００１１】
また、本明細書に記載の方法において用いられ得る２区画容器が、提供される。該容器は、底壁及び直立する側壁を備え得、該側壁は段部によって分けられる下部セグメント及び上部セグメントを有し、該下部セグメントが上部セグメントの外周より小さい外周である。上部蓋は、直立する側壁に付着され、そして、下部蓋は段部に付着される。容器は、底壁によって結合された下部区画、前記側壁の前記下部セグメント、及び前記下部蓋を備える。下部区画は、前記第二飲料原料を含む。容器はまた、下部蓋によって結合された上部区画、前記側壁の前記上部セグメント、及び前記上部蓋を備える。上部区画は、前記第一飲料原料を含む。
【００１２】
前記側壁の上部セグメントは、周縁フランジ部を有し得、前記上部蓋が、前記周縁フランジ部に付着される。前記上部蓋は、タブを有し得、該タブは、前記上部蓋の残部側に、大きく折り曲げられる。前記タブは、グリッピングの為に、折り畳まれていない位置に向かって可動であり、前記上部蓋の除去を容易にし得る。代わりに、または加えて、前記下部蓋は、前記側壁の前記上部セグメントの前記内面壁に隣接した位置にタブを有し得る。下部蓋のタブは、グリッピングのために前記側壁から離れるように可動であり、前記下部蓋の除去を容易にし得る。
【００１３】
容器の操作手段が、選択的に提供され得る。一態様においては、前記側面の前記下部セグメントが、凹部によって分けられた、外向きに延びる複数のリブを備える。前記リブは、連続的に、または、前記側壁の選択された位置に配置され得る。他の態様においては、外部部分は、容器に付着されて前記底壁及び前記側壁の前記下部セグメントを囲み、該外部部分は、前記側壁の前記下部セグメントから間隔が空けられた外部部分側壁を有する。なお他の態様においては、前記フランジ部は、前記容器の前記側壁から間隔が空けられて下方向に曲がったセグメントを備える。他の態様においては、ハンドルは前記側壁から外向きに延び得る。他の態様においては、ロゴ、表示又は同等のものが、側壁上に提供され得、そして、凹部によって間隔が空けられた隣接リブを伴って、リブから形成され得る。
【図面の簡単な説明】
【００１４】
【図１】２成分飲料を調製するのに用いる原料を含む２区画容器の、典型的な実施態様の透視図である。
【図２】図１の容器をＩＩ−ＩＩの線に沿ってとった断面図であり、上部区画を覆う上部蓋を有した上部区画における第一飲料原料、及び、下部区画を覆う下部蓋を有した下部区画における第二飲料原料を示す。
【図３】図１の２区画容器の分解組立図である。
【図４】図１の容器の上部区画からカップ内（部分的に剥離して示す）に分注される第一飲料原料の透視図である。
【図５】水がカップ内の第一飲料原料に加えられて、第一飲料成分が調製される透視図を表す。
【図６】第一飲料原料が除かれて、下部蓋が開けられて、下部区画内の第二飲料原料にアクセスすることを示す、図１の容器の断面図である。
【図７】図１の容器の断面図であり、上部蓋及び下部蓋、並びに第一飲料原料が除かれ、そして、水が容器の中の第二飲料原料に加えられ、第二飲料成分が調製される図である。
【図８】第二飲料成分が図１の容器から分注されて、カップ内で第一飲料成分と組み合わされて、２成分飲料が調製される、断面図である。
【図９】２成分飲料を調製するために用いる原料を含む、２区画容器の代替の実施態様の透視図である。
【図１０】図９の容器をＸ−Ｘの線に沿ってとった断面図であり、上部区画を覆う上部蓋を有した上部区画の中の第一飲料原料、及び下部区画を覆う下部蓋を有した下部区画の中の第二飲料原料を示す図である。
【図１１】２成分飲料を調製するために用いる原料を含む２区画容器の他の、代替の実施態様の透視図を表す。
【図１２】図１１の容器をＸＩＩ−ＸＩＩの線に沿ってとった断面図であり、上部区画を覆う上部蓋を有した上部区画の中の第一飲料原料、及び下部区画を覆う下部蓋を有した下部区画の中の第二飲料原料を示す。
【図１３】図１１の空の容器の分解組立図であり、組み合わされて２容器を形成する２部位を示す。
【図１４】２成分飲料を調製するために用いる原料を含む２区画容器の、なお他の代替の実施態様の透視図である。
【図１５】２成分飲料を調製するために用いる原料を含む２区画容器の、他の代替の実施態様の透視図である。
【図１６】図１５の容器の正面図である。
【図１７】図１５の容器の左側面図であり、右側側面図はその鏡像である。
【図１８】図１５の容器の平面図である。
【図１９】図１５の容器の背面図である。
【図２０】図１５の容器の底面図である。
【図２１】図１５の容器を図１８のＸＸＩ−ＸＸＩの線に沿ってとった断面図である。
【図２２】図１５の容器を図１３のＸＸＩＩ−ＸＸＩＩの線に沿ってとった断面図であり、図２３の容器を図２６のＸＸＩＩ−ＸＸＩＩの線に沿ってとった断面図である。
【図２３】２成分飲料を調製するために用いる原料を含む２区画容器のなお他の代替の実施態様の透視図である。
【図２４】図２３の容器の正面図である。
【図２５】図２３の容器の左側面図であり、右側側面図はその鏡像である。
【図２６】図２３の容器の平面図である。
【図２７】図２３の容器の背面図である。
【図２８】図２３の容器の底面図である。
【図２９】図２３の容器を図２６のＸＸＩＸ−ＸＸＩＸの線に沿ってとった断面図である。
【発明を実施するための形態】
【００１５】
上部区画６及び下部区画８の２つの区画を有し、各区画に飲料原料を含む容器４を用いた２成分飲料２の調製方法を提供する。図２に示すように、上部区画６は、粉状のミルク等の第一飲料原料１０を含み、下部区画８は、インスタントコーヒー等の第二飲料原料１２を含む。上部区画６は、好ましくは、下部区画８のアクセスが上部区画６を通るように、下部区画８上に積み重ねられる。これは、消費者が飲料原料１０及び１２の組み合わせを好ましい順番で行い、２成分飲料２を調製することを容易にするのに有利である。したがって、第一飲料原料１０を用いて第二飲料原料１２へのアクセスを少なくとも部分的に阻止することにより、消費者が好ましい順番、即ち、初めに第一飲料原料１０を用い、そして引き続き第二飲料原料１２を加える順番でする可能性が高まり得る。
【００１６】
前記方法は、図４に示すように、上部区画６をカップ１４に接近させて、第一飲料原料１０を移すことを含む。カップ１４は、任意の種類の容器でよく、例えば、魔法びん、コーヒーマグ又はカップ、飲料グラス、または同等品を挙げることができる。前記接近は、例えば、上部区画６を覆う上部蓋１６の除去によって、なし得る。図５に示すように、水又は他の液体メディウムは、カップ１４に加えられ得、第一飲料原料１０と組み合わせて、第一飲料成分１６が調製される。液体は、容器以外の装置を用いて測定され得るが、容器の上部区画は、選択的にサイズ指定され得、第一飲料原料と組み合わせる液の量を測定するために用いられ、第一飲料成分が調製される。更に、前記第一飲料原料１０は、液体を加える前にカップ１４内に分注され得るが、容器４内に残るときは、代わりに、液体が第一飲料原料１０に加えられ得る。
【００１７】
本方法は、また、図６に示すように、第二飲料原料１２にアクセスするために、第一飲料原料１０を除いた後に、下部区画８にアクセスすることも含み得る。第一飲料原料１０が除去されて現われる、下部区画８を覆う下部蓋１８を除去することによって、アクセスが達成され得る。図７に示すように、水又は他の液体メディウムは、第二飲料原料１２に加えられて、第二飲料成分２０が調製される。必須ではないが、好ましくは、第二飲料成分２０は、容器４内で調製され得る。これは、２成分飲料２を製造するための好ましい順番をさらに消費者に有利にさせ得るものである。これは、第二飲料成分２０が、第一飲料原料１０を除いた後に製造されうるからである。容器４が、２成分飲料２の最終容量より小さいサイズであれば、消費者が第一飲料成分１６を、第二飲料成分と組み合わせるために容器４に加える可能性は、低減２０されるからである。容器４に加えるべき液体量を測定することを容易にするために、フィルラインインジケーターを含む表示２２が、浮彫りにされ、又は印刷等をすることで、容器４の側壁２４上に提供され得る。表示２２は、側壁２４における隣接する箇所が、選択的に異なった質感及び／又は色であり、視感度が向され得、それは、側壁２４上に第一飲料原料１０の残存物が残る場合においてでもある。
【００１８】
図８に示すように、カップ１４内での第一飲料成分１６の調製後、及び、容器４内での第二飲料成分２０の調製後に、第二飲料成分２０は、第一飲料成分１６と組み合わされるように、容器４からカップ１４に注がれ得、２成分飲料２が調製され得る。
【００１９】
注ぎ以外の、撹拌又は他の混合は、飲料成分を製造又は組み合わせるために用いられ得る。典型的な形態として、第一飲料原料が粉状ミルクであり、第二飲料原料がインスタントコーヒーがあり得る。両飲料成分を調製するための液体としては、ホットウォーターがあり得、インスタントコーヒーから調製される飲料成分に、粉状ミルクから調製される飲料成分を注ぎ調製して得られる飲料としては、ラッテがあり得る。しかしながら、異なる２成分飲料を調製するために、他の原料も用い得、及び／又は、関連する位置が切り替えられ得る。さらに、他の成分としては、合計で２超の複数の成分を有した飲料を調製することが、挙げられる。
【００２０】
図１〜３に関連して、２成分飲料２の調製方法に用いる２区画容器４の、第一の実施態様の詳細に移ると、容器４は、底壁２６を含み、そこから直立する側壁２４を含む。側壁２４は、底壁２６から延びて、アクセス開口部３０を囲む周縁フランジ部２８で終端する。側壁２４は、下部セグメント３２、隣接する底壁２６、及び上部セグメント３４を含み、フランジ部２８に隣接する。下部セグメント３２は、上部セグメント３４より小さな外周を有し、段部３６が２つのセグメントの間で形成される。容器４は、一般的に内部の輪郭が外側の輪郭と同等になるような薄壁構造である。
【００２１】
下部区画８は、底壁２６及び側壁２４の下部セグメント３２に結合され、そして、下部蓋１８は、存在するときは、段部３６の内部表面にシールされている。第二飲料原料１２は、下部区画８に貯蔵される。上部区画６は、下部蓋１８に結合されて、側壁３４の上部セグメント、及び上部蓋１６が存在するときは、上部蓋１６は、周縁フランジ部２８にシールされる。第一飲料原料１０は、上部区画６に貯蔵される。
【００２２】
第一飲料原料１０が、第二飲料原料１２の上の位置にあることで、第一飲料原料１０が必ずアクセスされて、引き続き、第二飲料原料１２がアクセスされることとなる。より特徴的には、意図する使用の間に、第一飲料原料１０が、下部蓋１８へのアクセスを阻止し、そして、第一飲料原料１０が上部区画６内に存在するときは、第二飲料原料１２はそれゆえ、その下部に存在する。一旦、第一の飲料原料１０が除去されると、下部蓋１８、及び、続く第二飲料原料１２へのアクセスが、より容易に可能となる。
【００２３】
上部蓋１６及び下部蓋１８は、除去が容易となるように選択的に形成される。図１〜３に示すように、上部蓋１６は、上部蓋１６の残部に重なり、折り畳み部位に供されるタブ３８を含み得る。タブ３８は、折り曲げられずに周縁フランジ部２８の外周を超えて延びて、タブ３８をグリッピングすることを許容し得る。タブ３８は、そこで、上部蓋１８をフランジ部２８から引くように用いられ得る。下部蓋１８は、また、タブ４０を含み得る。図３に示すように、下部蓋のタブ４０は、タブ４０の残部に対して反対側の一端部において、拡張頭部４４を備えた拡張部４２を有する。下部蓋のタブ４０の位置は、側壁２４の上部セグメント３４の内部部分に寄りかかって存在し得、図２で示すように、通常は、下部蓋１８に垂直で存在する。タブ４０は、第一飲料原料１０が除かれるまで、少なくとも部分的に第一飲料原料１０で覆われる。一旦、第一飲料原料１０が除かれると、下部蓋１８のタブ４０は、側壁２４から引き離され得、つかみ、引いて、下部蓋１８を除去して、下部区画８に配置された第二飲料原料１２へアクセスが可能となる。
【００２４】
図１〜３の２区画容器４の周縁フランジ部２８は操作のために用いられ得る一方で、２区画容器４の代替の配置としては、異なる配置があり得る。同じ参照番号が同等の部分に付された図９および１０で示すように、２区画容器４の第二の実施態様としては、側壁２４の下部セグメント３２は、インデント部４８により間隔が空けられ、外向きに放射状に延びる複数のリブ４６を含む。容器４の残部は、先の態様、即ち、第二飲料原料１２を有する下部区画８の上に積み重ねられた第一飲料原料１０及び、周縁フランジ部２８を備える上部区画６を有し、各区画が蓋１６、１８でそれぞれ覆われる態様と、一般的に同様である。操作用に周縁フランジ部２８を用いることに加え、リブ４６の外向きの輪郭は、容器４の操作のための他の選択を提供する。
【００２５】
フランジ部２８以外の操作用のなお他の選択肢は、同じ参照番号が同等の部分に付された図１１〜１３に示すように、２構成容器４の第三の実施態様において提供される。かかる態様によれば、容器４は、分離された内部部分５０および外部部分５２から形成される。内部部分５０は、底壁２６、下部セグメント３２、段部３６、及び周縁フランジ部２８を有する上部セグメント３４、を含む。上部蓋１６は、周縁フランジ部２８にシールされ、下部蓋１８は、段部３６の内部表面にシールされる。外部部分５２は、カップ型であり、間隙部５８を規定する直立した側壁５６を有した底壁５４を有する。外部部分５２は、側壁２４の下部セグメント３２及び容器４の底壁２６の周囲に装着されるようにサイズ指定されている。しかしながら、外部部分５２の側壁５６は、容器４の側壁２４の下部セグメント３２から間隔が空けられ、２つの間の緩衝領域または間隙部５８を提供し、容器の外部部分５２を支えることによって、操作を容易にする。
【００２６】
第三の実施態様の、内部部分５０及び外部部分５２の組立を容易にするため、段部３６の外部は、段部３６の外部輪郭からわずかに内向きに位置するディペンディングリップ６０を含み得る。外部部分５２の側壁２４の上部セグメント３４は、ディペンディングリップ６０の外向き放射状表面に、寄りかかるように形成され、及び／又は、段部３６の外部に面して下向きに形成される。好ましくは、必須ではないが、内部部分５０の側壁２４の上部セグメント３４、および外部部分５２の側壁５６は、内部部分５０及び外部部分５２が共に結合すると、実質的にフラッシュ（ｆｌｕｓｈ）が形成される。シーム（ｓｅａｍ）は、目視することができるが、輪郭は一致し得る。内部部分５０及び外部部分５２の接続は、任意の適した方法、例えば、溶接、接着、スナップ式、摩擦式等を用いて達成され得る。
【００２７】
第三の実施態様のフランジ２８部は、先の２つの態様のフランジ部とは異なり得る。特に、フランジ部２８は、下向きに曲がったセグメント６２を、周縁フランジ部２８の外側部分に設け得る。下向きに曲がったセグメント６２は、終端する前に短い距離で延び得、そして、容器４の側壁２４の上部セグメント３４から間隔を空け得る。下向きに曲がったセグメント６２の下部輪郭は、弓形で、ある位置から他の位置まで異なり得る。例えば、図１１及び１３に示すように、下向きに曲がったセグメント６２の高さは、容器４の主な壁（ｍａｊｏｒ  ｓｉｄｅ）に沿って最大となり得、容器４のマイナー（ｍｉｎｏｒ  ｓｉｄｅ）側に沿って最小となり得る。下向きに曲がったセグメント６２の高さにおける多様性は、操作性を容易にし、そして審美的な外観を提供し得る。しかしながら、同じ参照番号が同等の部分に付された図１４に示すように、下向きに曲がったセグメント６２は、２区画容器４の第四の実施態様において、取り除かれ得る。第四の態様は、第三の態様の下向きに曲がったセグメント６２を欠く、垂直のフランジ部２８を除いて、第三の態様と同じ構成となり得る。
【００２８】
同じ参照番号が同等の部分に付された図１５〜２２において、２区画容器４の第五の実施態様において、側壁２４の下部セグメント３２は、インデント部６６によって間隙が空けられた放射状に外向きに延びた複数のリブ６４を含む。第二の実施態様のリブ４６と異なり、第五の実施態様のリブ６４は、選択的に、側壁２４の下部セグメント３２の末端の全体の周囲に拡張されない。代わりに、リブ６４は、容器４の一対の対向側面にのみ選択的に配置され得、図示された卵型の容器の、２方向のうち長い側に好ましくは配置される。リブ６４は、互いに平行であり得る。操作用の周縁フランジ部２８を用いることに加え、リブ６４の外向きの輪郭は、容器４の操作用の他の選択肢を提供する。リブ６４及びインデント部６６は、水平、（図示している）垂直、又は他の角度等の、任意の角度に拡張し得る。リブ６４及びインデント部６６は、本明細書に記載の任意の態様に組込まれ得る。
【００２９】
容器４の操作用の他の選択肢は、また、２区画容器４の第五の実施態様に組込まれる。特に、ロゴ６８、表示又は同等のものは、側壁２４上、例えば側壁２４の上部セグメント３４で形成され得、凹部７２により分けられる外向きに突出した複数のリブ７０により規定され得る。リブ７０及び凹部７２は、垂直に伸びるように示されるが、これらは、代わりに水平方向又は他の角度に伸び得る。凹部は、図示するように、選択的に部分的な深さとなり得、凹部７２における側壁２４の厚さは、ロゴ６８に隣接する側壁２４の厚さより厚い。この追加的な厚みは、更なる操作可能性の提供を補助し得る。リブ７０及び凹部７２を取り込むことで、ロゴ６８が２つの機能を供することを有利に許容する。即ち、例えば、ブランド等の情報を伝達したり、容器４の操作性のための他の選択肢を提供する機能である。ロゴ６８のサイズ及び位置の広範な多様性により、容器４の配置及び意図する使用に応じて、適応することができる。突起フィルライン（ｆｉｌｌ  ｌｉｎｅ）７４は、また、側壁２４の上部セグメント３４の末端付近まで延び得る。リブ７０及び凹部７２から形成されるロゴ６８の使用は、突起フィルライン７４が取り込まれるように、本明細書に記載の態様のいずれかに組込まれ得る。
【００３０】
容器４の操作用のなお他の選択肢は、また、ハンドル７６の形状の２区画容器４の第五の実施態様に組込まれる。ハンドルは、側壁２４の上部セグメント３４から放射状で外向きに延び得、そして、図１７に示すように弓状の端部を有し得る。また、図１７に示すように、ハンドル７６は、例えば、図示する円形のインデント部７８のように選択的なインデント部７８を含み、グリッピングを容易にし得る。前記インデント部は、織物または同等のものを含み得、グリッピングを更に容易にする。ハンドル７６は、選択的なインデント部７８を除いては、通常は平面状である。ハンドル７６及び選択的なインデント部７８は、本明細書に記載の任意の容器４に組込まれ得る。
【００３１】
第五の実施態様の容器４の残部は、一般的には、第一及び第二の態様におけるものと同じであり、即ち、第二飲料原料１２を有する下部区画８の上に積み重ねられた、周縁フランジ部２８及び第一飲料原料１０を有する上部区画６を有し、各区画が蓋１６および蓋１８によりそれぞれ覆われている。しかしながら、違いとしては、側壁の下部セグメント３２の底末端部８０が、外向きに下方が広がることであり、審美的アピール及び広範な土台を提供する。
【００３２】
リブ６４及びインデント部６６は、同じ参照番号が同等の部分に付された図２３〜２９に示す、２区画容器４の第六の実施態様におけるように、省略され得る。第六の態様は、第五の態様のリブ６４及びインデント部６６を除いて、第五の態様と同等の構成を有し得る。
【００３３】
上記のように、本明細書に記載の態様の２区画容器４は、一般的に、薄壁構造である。容器４は、熱成形、射出成形、または他の適した技術を用いて、成形されうる。材料は、ポリプロピレンを基本として、選択的にバリア層を有し得るが、他のポリマー等の他の材料も適用できる。材料は、選択的に透明又は半透明でよく、密閉または部分的にシールされた容器４の外部から、内容物を視覚的に観察できるようになる。
【００３４】
上部蓋１６及び下部蓋１８は、箔積層または他の適した材料から形成され得る。蓋は固定され得、バリアを提供する任意の適切な構造があり得る。上部蓋１６及び下部蓋１８は、接着材等の他のシーリング方法も利用し得るが、選択的に、周縁フランジ部２８及び段部３６にそれぞれ、熱溶接または超音波溶接するのに適用できる。必須ではないが、段部３６は幅を有し、そして、上部区画６が、段部３６の内部表面に対して、下部蓋１８をシーリングするためのシーリング用ツールを挿入することができる構成の大きさであることが好ましい。
【００３５】
容器の実施態様の形状は、通常は、曲線状又は円形状であるが、容器４は、長軸及び短軸を有し得、両軸は、底壁２６及び上部蓋１６を通って伸びる縦軸に対し、垂直である。容器４が楕円形であるように、長軸は短軸より長くなり得る。上側から見ると、容器４は通常、卵型の外観である。しかし、他の形状の容器４も、適用できる。
【００３６】
図及び前述の記載は、工程及び構造の詳細に関して、方法及び２区画容器の唯一の形態を表すことを意図していない。状況に応じて手段を提案又は提供するように、形態における変化、及び、パーツのつり合いにおける変化、バリエーション、工程の追加又は除去、または同等物の置換は、考慮される。
【図１】
2014532474.tif 000003
【図２】
2014532474.tif 000004
【図３】
2014532474.tif 000005
【図４】
2014532474.tif 000006
【図５】
2014532474.tif 000007
【図６】
2014532474.tif 000008
【図７】
2014532474.tif 000009
【図８】
2014532474.tif 000010
【図９】
2014532474.tif 000011
【図１０】
2014532474.tif 000012
【図１１】
2014532474.tif 000013
【図１２】
2014532474.tif 000014
【図１３】
2014532474.tif 000015
【図１４】
2014532474.tif 000016
【図１５】
2014532474.tif 000017
【図１６】
2014532474.tif 000018
【図１７】
2014532474.tif 000019
【図１８】
2014532474.tif 000020
【図１９】
2014532474.tif 000021
【図２０】
2014532474.tif 000022
【図２１】
2014532474.tif 000023
【図２２】
2014532474.tif 000024
【図２３】
2014532474.tif 000025
【図２４】
2014532474.tif 000026
【図２５】
2014532474.tif 000027
【図２６】
2014532474.tif 000028
【図２７】
2014532474.tif 000029
【図２８】
2014532474.tif 000030
【図２９】
2014532474.tif 000031
【国際調査報告】
2014532474.tif 000032
2014532474.tif 000033